(57)【要約】【課題】  一対のキャビネット１、２からなるケーシングに、耳に押し当てて音響を聞き取るべき第１スピーカと、頬骨に押し当てて音響を聞き取るべき骨伝導式の第２スピーカとを具えた携帯通信端末機において、一方のスピーカから他方のスピーカに切り替えた後も聞き取り易い受話音を維持する。【解決手段】  本発明に係る携帯通信端末機は、第１スピーカの動作状態に関する調整値と第２スピーカ４の動作状態に関する調整値とを入力することが可能であって、第１スピーカの調整値と第２スピーカ４の調整値との対応関係が格納されており、動作させるべきスピーカを一方のスピーカから他方のスピーカへ切り替えたとき、前記一方のスピーカの切り替え時点における調整値に対応する前記他方のスピーカの調整値を読み出して、前記他方のスピーカの調整値として設定する。【選択図】      図１
2005175747.tif 000002
【特許請求の範囲】
【請求項１】
携帯可能なケーシングに、耳に押し当てて音響を聞き取るべき第１スピーカ(24)と頬骨に押し当てて音響を聞き取るべき骨伝導式の第２スピーカ(４)とを配備した携帯通信端末機において、
第１スピーカ(24)と第２スピーカ(４)についての動作状態に関する調整値が格納されている格納手段と、
一方のスピーカから他方のスピーカへの切り替わりに応じて、前記格納手段から、前記他方のスピーカについての調整値を読み出し、前記他方のスピーカの調整値として設定する調整値設定手段
とを具えていることを特徴とする携帯通信端末機。
【請求項２】
携帯可能なケーシングに、耳に押し当てて音響を聞き取るべき第１スピーカ(24)と頬骨に押し当てて音響を聞き取るべき骨伝導式の第２スピーカ(４)とを配備した携帯通信端末機において、
第１スピーカ(24)の動作状態に関する調整値と第２スピーカ(４)の動作状態に関する調整値とを入力するための調整値入力手段と、
第１スピーカ(24)の調整値と第２スピーカ(４)の調整値との対応関係が格納されている関係格納手段と、
動作させるべきスピーカを一方のスピーカから他方のスピーカへ切り替えたとき、前記関係格納手段から、前記一方のスピーカの切り替え時点における調整値に対応する前記他方のスピーカの調整値を読み出し、前記他方のスピーカの調整値として設定する調整値設定手段
とを具えていることを特徴とする携帯通信端末機。
【請求項３】
前記動作状態に関する調整値は、音量を規定するボリューム値である請求項２に記載の携帯通信端末機。
【請求項４】
第１スピーカ(24)についてのイコライザー周波数特性と第２スピーカ(４)についてのイコライザー周波数特性とが格納されている特性格納手段と、
動作させるべきスピーカを一方のスピーカから他方のスピーカに切り替えたとき、前記特性格納手段から、前記他方のスピーカについてのイコライザー周波数特性を読み出して、前記他方のスピーカのイコライザー周波数特性として設定する特性設定手段
とを具えている請求項２又は請求項３に記載の携帯通信端末機。
【請求項５】
前記ケーシングは、一対のキャビネット(１)(２)を開閉可能に連結して構成され、両キャビネット(１)(２)を開くことによって露出するケーシング内面に前記第１スピーカ(24)が配備されると共に、ケーシング背面に前記第２スピーカ(４)が配備され、両キャビネット(１)(２)を開くことによって第１スピーカ(24)がオン、第２スピーカ(４)がオフとなる一方、両キャビネット(１)(２)を閉じることによって第１スピーカ(24)がオフ、第２スピーカ(４)がオンとなる請求項１乃至請求項４の何れかに記載の携帯通信端末機。
【請求項６】
前記調整値入力手段は、第１スピーカ(24)と第２スピーカ(４)の調整値をそれぞれ複数段階で変更するための主操作手段と、両キャビネット(１)(２)を閉じた状態で第２スピーカ(４)に対する調整値を複数段階で変更するための副操作手段とを具え、副操作手段の１回の操作によって変更し得る調整値の幅は、主操作手段の１回の操作によって変更し得る調整値の幅よりも大きなものとなっている請求項５に記載の携帯通信端末機。
【発明の詳細な説明】
【技術分野】
【０００１】
本発明は、携帯電話機などの通信端末機に関し、特に骨伝導式スピーカを具えた通信端末機に関するものである。
【背景技術】
【０００２】
老人の如く聴覚機能の低下したユーザであっても十分に受話音を聞き取ることの出来る電話機として、所謂骨伝導式スピーカを具えた送受話器が提案されている(特許文献１参照)。
この種の送受話器によって送受話を行なう場合、送受話器に配備されている骨伝導式スピーカを頬骨に押し付ける。これによって、骨伝導式スピーカから発せられる振動が頭骨を経て蝸牛に伝わり、蝸牛にて振動が電気信号に変換され、該電気信号が聴神経を経て脳に伝えられ、この結果、音声を認識することが出来るのである。
【特許文献１】特開２００３−１７４４９６号公報［H04M1/03］
【発明の開示】
【発明が解決しようとする課題】
【０００３】
そこで、携帯可能なケーシングに送話部と受話部を配備した携帯電話機において、受話部として従来の一般的なレシーバであるスピーカ(第１スピーカ)と骨伝導式のスピーカ(第２スピーカ)の両方を配備することが考えられる。該携帯電話機によれば、例えば雑踏の中の様に雑音が大きい状況での通話においては第１スピーカから第２スピーカに切り替えることによって、受話音が聞き取り易いものとなる。
【０００４】
しかしながら、従来の一般的なスピーカは空気の振動を鼓膜に加えて音を伝えるものであるのに対し、骨伝導式スピーカは頬骨に対して直接に振動を加えて音を伝えるものであるため、一方のスピーカでは適切なボリューム値や周波数特性が他方のスピーカでも適切なものとは言えない。従って、一方のスピーカから他方のスピーカへ切り替えを行なったとき、ボリュームや周波数特性等の調整値をそのまま維持したとすると、受話レベルが過大若しくは過小となったり、受話音が耳障りなものとなったりして、受話音の聞き取りが困難となる。
【０００５】
そこで本発明の目的は、従来の一般的なスピーカ(第１スピーカ)と骨伝導式のスピーカ(第２スピーカ)の両方を具えた携帯通信端末機において、一方のスピーカから他方のスピーカに切り替えた後も聞き取り易い受話音が維持される携帯通信端末機を提供することである。
【課題を解決するための手段】
【０００６】
本発明に係る携帯通信端末機は、ケーシングに第１スピーカ(24)と第２スピーカ(４)とを配備したものであって、
第１スピーカ(24)の動作状態に関する調整値と第２スピーカ(４)の動作状態に関する調整値とを入力するための調整値入力手段と、
第１スピーカ(24)の調整値と第２スピーカ(４)の調整値との対応関係が格納されている関係格納手段と、
動作させるべきスピーカを一方のスピーカから他方のスピーカへ切り替えたとき、前記関係格納手段から、前記一方のスピーカの切り替え時点における調整値に対応する前記他方のスピーカの調整値を読み出し、前記他方のスピーカの調整値として設定する調整値設定手段
とを具えている。
【０００７】
上記本発明の携帯通信端末機において、関係格納手段には、第１スピーカ(24)についての複数の調整値(例えば受話音のレベルを規定するボリューム値)が格納されると共に、これらの調整値のそれぞれに対応させて、同等の音響効果が発揮されることとなる第２スピーカ(４)についての複数の調整値が格納されている。
【０００８】
例えば第１スピーカ(24)による通話中に第２スピーカ(４)による通話に切り替えたとき、切り替え時点における第１スピーカ(24)の調整値に基づいて、関係格納手段から該調整値に対応する第２スピーカ(４)についての調整値が読み出され、該調整値が第２スピーカ(４)に設定される。逆に、第２スピーカ(４)による通話中に第１スピーカ(24)による通話に切り替えたときは、切り替え時点における第２スピーカ(４)の調整値に基づいて、関係格納手段から該調整値に対応する第１スピーカ(24)についての調整値が読み出され、該調整値が第１スピーカ(24)に設定される。
【０００９】
上述の一方のスピーカから他方のスピーカへの切り替えにおいて、切り替え前に動作していた一方のスピーカについては、そのユーザによって好適な調整値が設定されているので、その調整値に対応させて他方のスピーカについて設定した調整値も、そのユーザにとって好適なものである。
従って、スピーカの切り替え後も受話音はユーザにとって聞き取り易いものとなる。
【００１０】
具体的構成において、前記ケーシングは、一対のキャビネット(１)(２)を開閉可能に連結して構成され、両キャビネット(１)(２)を開くことによって露出するケーシング内面に前記第１スピーカ(24)が配備されると共に、ケーシング背面に前記第２スピーカ(４)が配備され、両キャビネット(１)(２)を開くことによって第１スピーカ(24)がオン、第２スピーカ(４)がオフとなる一方、両キャビネット(１)(２)を閉じることによって第１スピーカ(24)がオフ、第２スピーカ(４)がオンとなる。
【００１１】
該具体的構成においては、一対のキャビネット(１)(２)を開いた状態では、第１スピーカ(24)がオンとなって、第１スピーカ(24)を耳に押し当てることによって音響を聞き取ることが出来る。これに対し、一対のキャビネット(１)(２)を閉じた状態では、第２スピーカ(４)がオンとなって、第２スピーカ(４)を頬骨に押し当てることによって音響を聞き取ることが出来る。
【００１２】
更に具体的な構成において、前記調整値入力手段は、第１スピーカ(24)と第２スピーカ(４)の調整値をそれぞれ複数段階で変更するための主操作手段と、両キャビネット(１)(２)を閉じた状態で第２スピーカ(４)に対する調整値を複数段階で変更するための副操作手段とを具え、副操作手段の１回の操作によって変更し得る調整値の幅は、主操作手段の１回の操作によって変更し得る調整値の幅よりも大きなものとなっている。
【００１３】
該具体的構成によれば、一対のキャビネット(１)(２)を開いた状態では主操作手段の操作によって第１スピーカ(24)と第２スピーカ(４)についての調整値を複数段階に変更して、適切な調整値を設定することが出来る。又、一対のキャビネット(１)(２)を閉じた状態では副操作手段の操作によって第２スピーカ(４)についての調整値を複数段階に変更して、適切な調整値を設定することが出来る。ここで、副操作手段による調整値の変更幅は、主操作手段による調整値の変更幅よりも大きなものとなっているので、ユーザは、副操作手段の操作によって第２スピーカ(４)の動作状態が変化していることを明確に認識することが出来る。
【発明の効果】
【００１４】
本発明に係る携帯通信端末機によれば、一方のスピーカから他方のスピーカに切り替えた後も聞き取り易い受話音が維持される。
【発明を実施するための最良の形態】
【００１５】
以下、本発明を折り畳み式携帯電話機に実施した形態につき、図面に沿って具体的に説明する。
本発明に係る折り畳み式携帯電話機においては、図１〜図３に示す如く、操作側キャビネット(１)と表示側キャビネット(２)がヒンジ機構(３)を介して互いに開閉可能に連結されて、折り畳み可能なケーシングが構成されている。
【００１６】
図３に示す如く、操作側キャビネット(１)の内面には、テンキーやリングキーを含む複数の操作キー(11)が配備されると共に、その側面には、サイドキー(15)が配備されている。又、操作側キャビネット(１)には、ヒンジ機構(３)とは反対側の端部にマイクロホン(13)を内蔵した送話部(12)が配備されている。
表示側キャビネット(２)の内面には、液晶パネルからなるメインディスプレイ(21)が配備されると共に、ヒンジ機構(３)とは反対側の端部に、第１スピーカ(24)を内蔵した受話部(22)が配備されている。
【００１７】
更に図１及び図２に示す如く、表示側キャビネット(２)の背面には、その中央部にサブディスプレイ(23)が配備されると共に、ヒンジ機構(３)側の端部には、弾性部材(５)を介して骨伝導式の第２スピーカ(４)が配備されている。
尚、図１に示す様に、両キャビネット(１)(２)を閉じた状態で送話部(12)の一部が露出する様、送話部(12)の表面には凹部が形成されている。
又、表示側キャビネット(２)は、ヒンジ機構(３)とは反対側の端部から第２スピーカ(４)の設置部に向かって表面が隆起した形状を有し、該形状に沿う様に傾斜した姿勢でサブディスプレイ(23)が設置されている。
【００１８】
図４は、上記本発明の折り畳み式携帯電話機の電気的な構成を表わしている。図示の如くアンテナ(61)が接続されたＲＦ回路(62)には、ＡＳＩＣ、ＤＳＰ、ＣＰＵ等から構成される制御回路(６)が接続されている。制御回路(６)には、前述の操作キー(11)やサイドキー(15)が接続されると共に、制御動作に供すべきクロックを発生するクロック発生器(64)、必要な回路部に電源を供給するシステム電源ＩＣ(65)、外部の通信機器等を接続するためのインタフェース(63)が接続されている。
【００１９】
又、制御回路(６)には、変調・復調処理を実行するコーデック(７)が接続され、該コーデック(７)に、前述のマイクロホン(13)や第１スピーカ(24)の他、イヤホン用マイクロホン(14)が接続されている。又、コーデック(７)には、制御回路(６)からのＯＮ／ＯＦＦ制御信号によってオン／オフ制御される増幅器(71)を介して前述の第２スピーカ(４)が接続されると共に、着信メロディー等を発するための音源ＩＣ(72)を介して報知用スピーカ(16)が接続されている。
更に制御回路(６)には、制御バスを介して、メモリ(73)が接続されると共に、ＬＣＤドライバー(74)を介して前述のメインディスプレイ(21)やサブディスプレイ(23)が接続されている。
【００２０】
制御回路(６)には、図６に示す如く、９段階の受話レベル設定値のそれぞれに対応させて、第１スピーカ(24)についてのボリューム設定値と第２スピーカ(４)についてのボリューム設定値とがテーブルとして格納されている。第１スピーカ(24)についてのボリューム設定値をそのまま第２スピーカ(４)についてのボリューム設定値とした場合、第２スピーカ(４)の受話レベルが過大となるため、第２スピーカ(４)についてのボリューム設定値は全体的に第１スピーカ(24)についてのボリューム設定値よりも低くなっており、その低下量は受話レベル設定値が大きくなるほど大きくなっている。
従って、ユーザは、キー操作によって受話レベル設定値を９段階に変更して、最も聞き取り易い受話レベルを選択することが出来る。
【００２１】
又、制御回路(６)には、図７に示す第１スピーカ(24)についてのイコライザー周波数特性を規定するための複数のデータ(イコライザー値)が格納されると共に、図８に示す第２スピーカ(４)についてのイコライザー周波数特性を規定するための複数のデータ(イコライザー値)が格納されている。骨伝導式の第２スピーカ(４)を使用する場合、１ＫＨｚ付近に共振点が存在するため、図８に示す如く１ＫＨｚ付近の周波数帯域では僅かにゲインを抑圧することにより、受話音が耳障りなものとなることを回避している。又、６００Ｈｚ以下の周波数ではゲインを僅かに持ち上げることによって、受話音を落ち着いたものとしている。但し、２ＫＨｚ付近の周波数帯域では、図７及び図８に示す如く同レベルのゲインを維持して、健聴者と難聴者の何れにとっても聞き取り易い受話音を実現している。
【００２２】
上述の折り畳み式携帯電話機によれば、図１に示す如く両キャビネット(１)(２)を折り畳んだ状態で、送話部(12)と骨伝導式の第２スピーカ(４)によって送受話が可能であると共に、図３に示す如く両キャビネット(１)(２)を開いた状態で、送話部(12)と通常の第１スピーカ(24)によって送受話が可能である。
又、通話中に両キャビネット(１)(２)を開き或いは閉じることによって、第１スピーカ(24)と第２スピーカ(４)の間でスピーカを切り替えることも可能である。
【００２３】
図５は、両キャビネット(１)(２)の開閉に応じた第１スピーカ(24)と第２スピーカ(４)の切り替え制御の手続きを表わしている。
骨伝導式の第２スピーカ(４)の動作を可能とするモードを設定した状態で、先ずステップＳ１にて着信が有ったかどうかを判断し、イエスと判断されたときはステップＳ２に移行して、オフフック操作が有ったかどうかを判断する。
【００２４】
ステップＳ２にてイエスと判断されたときは、ステップＳ３にて通信動作を開始した後、ステップＳ４にてケーシングが開かれているかどうかを判断する。ここでケーシングが開かれており、イエスと判断されたときは、ステップＳ５にて、第１スピーカ(24)をオン、第２スピーカ(４)をオフとした後、ステップＳ６にて、そのときの受話レベル設定値と前記テーブルの読み出しを行なう。
【００２５】
続いてステップＳ７にて、読み出したボリューム値と第１スピーカ(24)についてのイコライザー値とを、第１スピーカ(24)についての動作状態の調整値として設定する。
その後、ステップＳ８では、ボリューム変更操作が有ったかどうかを判断し、イエスと判断されたときはステップＳ９に移行して、ユーザの操作に応じて受話レベル設定値１〜９の９段階でボリューム値を変更し、受話レベル設定値を更新した後、ステップＳ１５へ進む。ステップＳ８にてノーと判断されたときはステップＳ９を迂回してステップＳ１５へ進む。
【００２６】
一方、通話開始時にケーシングが閉じられており、ステップＳ４にてノーと判断されたときは、ステップＳ１０にて第１スピーカ(24)をオフ、第２スピーカ(４)をオンとした後、ステップＳ１１にて、そのときの受話レベル設定値と前記テーブルの読み出しを行なう。
【００２７】
続いてステップＳ１２にて、読み出したボリューム値と第２スピーカ(４)についてのイコライザー値とを、第２スピーカ(４)についての動作状態の調整値として設定する。
その後、ステップＳ１３では、サイドキー(15)によるボリューム変更操作が有ったかどうかを判断し、イエスと判断されたときはステップＳ１４に移行して、ユーザの操作に応じて受話レベル設定値１、５、９の３段階でボリューム値を変更し、受話レベル設定値を更新した後、ステップＳ１５へ進む。ステップＳ１３にてノーと判断されたときはステップＳ１４を迂回してステップＳ１５へ進む。
【００２８】
ステップＳ１５では、オンフック操作が有ったかどうかを判断し、ノーと判断されたときはステップＳ４に戻って、ステップＳ４〜Ｓ１５の手続きを繰り返す。ここで、通話中にケーシングが開き状態から閉じられたときは、ステップＳ５〜Ｓ９の処理から、ステップＳ１０〜Ｓ１４の処理に切り替わり、第１スピーカ(24)から第２スピーカ(４)へ動作スピーカが切り替えられると共に、前記テーブルに基づいて、第２スピーカ(４)についてのボリューム値がその時点で設定されている受話レベルに応じたボリューム値に変更されると共に、第１スピーカ(24)についてのイコライザー値が第２スピーカ(４)についてのイコライザー値に変更されることになる。
【００２９】
又、通話中にケーシングが閉じ状態から開かれたときは、ステップＳ１０〜Ｓ１４の処理から、ステップＳ５〜Ｓ９の処理に切り替わり、第２スピーカ(４)から第１スピーカ(24)へ動作スピーカが切り替えられると共に、前記テーブルに基づいて、第１スピーカ(24)についてのボリューム値がその時点で設定されている受話レベルに応じたボリューム値に変更されると共に、第２スピーカ(４)についてのイコライザー値が第１スピーカ(24)についてのイコライザー値に変更されることになる。
その後、オンフック操作が有ってステップＳ１５にてイエスと判断されたときは、ステップＳ１６に移行して、通信動作を終了する。
【００３０】
上述の本発明に係る折り畳み式携帯電話機においては、第１スピーカ(24)から第２スピーカ(４)へ動作スピーカが切り替えられた場合、第１スピーカ(24)について設定されていたボリューム値が図６に示す如く同じ音響効果が得られることとなる第２スピーカ(４)についてのボリューム値に変更されると共に、図８に示された第２スピーカ(４)に好適なイコライザー周波数特性が設定されるので、受話音は聞き取り易いものとなり、快適な通話が実現される。
【００３１】
又、第２スピーカ(４)から第１スピーカ(24)へ動作スピーカが切り替えられた場合も同様に、第２スピーカ(４)について設定されていたボリューム値が図６に示す如く同じ音響効果が得られることとなる第１スピーカ(24)についてのボリューム値に変更されると共に、図７に示された第１スピーカ(24)に好適なイコライザー周波数特性が設定されるので、受話音は聞き取り易いものとなり、快適な通話が実現される。
【００３２】
更に、本発明に係る折り畳み式携帯電話機においては、両キャビネット(１)(２)を閉じた状態でサイドキー(15)を操作することによって第２スピーカ(４)の受話レベルを調整する場合、図６に示す９段階の受話レベル設定値の内、３つの受話レベル設定値９、５、１に対応した３つのボリューム設定値−６ｄＢ、−１２ｄＢ、−１６ｄＢの中から選択し得る構成としており、サイドキー(15)の１回の操作による受話レベルの変化幅が大きいものとなっているので、ユーザは、サイドキー(15)の操作によって受話レベルが変化することを明確に認識することが出来る。
【００３３】
尚、本発明の各部構成は上記実施の形態に限らず、特許請求の範囲に記載の技術的範囲内で種々の変形が可能である。例えば、マイクロホン(13)の感度はケーシングの開閉に拘わらず一定に保つ構成に限らず、ケーシングを開いた状態から閉じることによって増大させる構成を採ることも可能である。
【図面の簡単な説明】
【００３４】
【図１】本発明に係る折り畳み式携帯電話機を折り畳んだ状態を示す斜視図である。
【図２】同上状態を示す平面図である。
【図３】該折り畳み式携帯電話機を開いた状態を示す斜視図である。
【図４】該折り畳み式携帯電話機の電気的な構成を示すブロック図である。
【図５】第１スピーカと第２スピーカの切り替え制御の手続きを表わすフローチャートである。
【図６】第１スピーカと第２スピーカについてのボリューム設定値の対応関係を示す図表である。
【図７】第１スピーカについてのイコライザー周波数特性を示すグラフである。
【図８】第２スピーカについてのイコライザー周波数特性を示すグラフである。
【符号の説明】
【００３５】
(１)  操作側キャビネット
(11)  操作キー
(12)  送話部
(13)  マイクロホン
(15)  サイドキー
(２)  表示側キャビネット
(21)  メインディスプレイ
(22)  受話部
(23)  サブディスプレイ
(24)  第１スピーカ
(４)  第２スピーカ
【図１】
2005175747.tif 000003
【図２】
2005175747.tif 000004
【図３】
2005175747.tif 000005
【図４】
2005175747.tif 000006
【図５】
2005175747.tif 000007
【図６】
2005175747.tif 000008
【図７】
2005175747.tif 000009
【図８】
2005175747.tif 000010